(57)【要約】      （修正有）【課題】ノート・書籍・本等の厚さにかかわらず、それらに対応調整可能にして装着でき、しかも体裁よく本等をカバーできるノート・ブック用カバーを提供する。【解決手段】カバーは、本Ｂの背表紙Ｐ１にあてがうカバー本体１と、本の表裏表紙Ｐ２それぞれにあてがうようにカバー本体の端部それぞれに連結した当接カバー板２と、本の表裏表紙及び当接カバー板を重ねた状態で挟み込むようにスライド自在に被せる左右一対のスライドカバー５とから成る。カバー本体は、背表紙及び表裏表紙の背表紙側端部を覆う大きさに形成する。当接カバー板は、撓み性がある、やや剛性の透明素材にて形成する。スライドカバーは、表裏表紙にほぼ対応した大きさの扁平袋状に形成し、表裏表紙に対してはやや強制的にスライド自在に被せるようにする。【選択図】図１
0003228223.tif 000002
【実用新案登録請求の範囲】
【請求項１】
本等の背表紙にあてがわれるカバー本体と、本等の表裏表紙それぞれにあてがわれるようカバー本体の端部それぞれに連結される当接カバー板と、本等の表裏表紙及び当接カバー板を重ねた状態で挟み込むようスライド自在に被せられる左右で計一対のスライドカバーとから成ることを特徴とするノート・ブック用カバー。
【請求項２】
カバー本体は、背表紙及び表裏表紙の背表紙側端部を覆う大きさで、折曲可能に形成してある請求項１に記載のノート・ブック用カバー。
【請求項３】
当接カバー板は、撓み性がある、やや剛性の透明素材にて形成してある請求項１または２に記載のノート・ブック用カバー。
【請求項４】
スライドカバーは、表裏表紙の大きさにほぼ対応した大きさの扁平袋状に形成してある請求項１乃至３のいずれかに記載のノート・ブック用カバー。
【請求項５】
スライドカバーは、表裏表紙に対してはやや強制的にスライド自在に被せるようにしてある請求項１乃至４のいずれかに記載のノート・ブック用カバー。
【考案の詳細な説明】
【技術分野】
【０００１】
この考案はノート・ブック用カバーに係り、特にカバーするノート・書籍・本等の厚さにかかわらず、それらに対応調整可能にして装着でき、しかも体裁よく本等をカバーできるようにしたノート・ブック用カバーに関する。
【背景技術】
【０００２】
従来から、本等を覆って保護するのにノート・ブック用カバーが使用されており、使用者の好みに応じて様々なタイプのものが用いられている。その多くは、本等の表表紙、裏表紙の全体を覆うようにしたカバー本体のいずれか一端には、一方の表紙に装着される扁平な袋状のカバー部を設け、他端には他方の表紙を挿入させて折り返えした端部が差し入れられるようにした係止帯を設けて成る。これによると、本等の厚みに対応して折り返し位置を調整できるから便利ではある。ただ、本等が極端に薄かったり、あるいは厚くなっていたりすると、折り返し部分が長くなってだぶついたり、あるいは足りなくって本全体を覆うことができなくなったりする。
【０００３】
これらを解消すべく、例えば特許文献１に示される冊子カバー、特許文献２に示される分離型ブックカバー等が提案されている。特許文献１の冊子カバーは、表紙の一方を収納する袋状のカバー部をカバー本体の一端に設け、このカバー本体の他端に、本等の表紙をカバー本体の他端と共にスライド自在にして覆うようにした扁平袋状の袋体を設けて成る。特許文献２の分離型ブックカバーは、本等の表紙の一方を収納する袋状のカバー部を一端に設けた右側ブックカバーと、表紙の他方をスライド自在にして覆う扁平袋状の左側ブックカバーとの端部相互を重ね合わせてマジックテープ（登録商標）等で接合固定して成る。
【先行技術文献】
【特許文献】
【０００４】
【特許文献１】特許第６４１１０８１号公報
【特許文献２】登録実用新案第３２１８８６１号公報
【考案の概要】
【考案が解決しようとする課題】
【０００５】
ところが、特許文献１の冊子カバーでは他方の表紙に被せられる袋体が表紙大きさに比し小さいために、本等を覆うとしても背表紙側と袋体縁部との間で間隙が生じ、本等を持つときの手指に馴染まず、持ちにくく感じる。また、特許文献２のブックカバーでは、左右の両ブックカバーを重ね合わせて接合固定するから、この接合部分が段状に膨らみ、本等を持ったときに手指に違和感が生じる。
【０００６】
そこでこの考案は叙上のような従来存した諸事情に鑑み案出されたもので、ノート・書籍・本等の厚さ、薄さに関係なく、これらに対応調整して体裁よく装着でき、しかも手指等で持った場合でも違和感なく手指に馴染み、使い勝手が良好なノート・ブック用カバーを提供することにある。
【課題を解決するための手段】
【０００７】
上述した課題を解決するため、この考案にあっては、本等Ｂの背表紙Ｐ１にあてがわれるカバー本体１と、本等Ｂの表裏表紙Ｐ２それぞれにあてがわれるようカバー本体１の端部それぞれに連結される当接カバー板２と、本等Ｂの表裏表紙Ｐ２及び当接カバー板２を重ねた状態で挟み込むようスライド自在に被せられる左右で計一対のスライドカバー５とから成ることを特徴とする。
カバー本体は、背表紙Ｐ１及び表裏表紙Ｐ２の背表紙側端部を覆う大きさで、折曲可能に形成して構成することができる。
当接カバー板２は、撓み性がある、やや剛性の透明素材にて構成することができる。
スライドカバー５は、表裏表紙Ｐ２の大きさにほぼ対応した大きさの扁平袋状に形成して、また表裏表紙Ｐ２に対してはやや強制的にスライド自在に被せるようにして構成することができる。
【０００８】
以上のように構成されたこの考案に係るノート・ブック用カバーにあって、本等Ｂの背表紙Ｐ１にあてがったカバー本体１に連結した当接カバー板２を表裏表紙Ｐ２にあてがい、表裏表紙Ｐ２と共に当接カバー板２をも挟み込むようにスライドカバー５を被せることで、本等Ｂを覆わせる。
折曲されるカバー本体１は、本等Ｂの厚さに対応して所定部位で折り曲げられ、その中央部分を背表紙Ｐ１に位置させ、表裏表紙Ｐ２に被せられるスライドカバー５の装着状態を表裏で対称的にさせ、装着時の体裁を良好にさせる。
透明素材にて形成された当接カバー板２は、カバー本体１の背表紙Ｐ１に対しての位置合わせを容易にさせ、その剛性はスライドカバー５の表裏表紙Ｐ２への被せ操作を円滑にさせる。
扁平袋状で強制的にスライドして被せるスライドカバー５は、表裏表紙Ｐ２、当接カバー板２にしっかりと装着させ、使用中に表裏表紙Ｐ２から抜脱させず、本等Ｂを保護させる。
【考案の効果】
【０００９】
この考案は以上説明したように構成されているため、本等Ｂの厚さ、薄さに関係なく、これらに対応調整してスライドカバー５をスライド自在に被せることで体裁よく装着でき、しかも手指等で持った場合でも本等Ｂの表裏で表裏表紙Ｐ２を覆うスライドカバー５が対称的に装着されることで違和感なく手指に馴染ませ、使い勝手が良好である効果が得られる。
【００１０】
すなわちこれは、この考案において、本等Ｂの背表紙Ｐ１にあてがわれるカバー本体１の端部それぞれに、表裏表紙Ｐ２それぞれにあてがわれる当接カバー板２を連結し、表裏表紙Ｐ２及び当接カバー板２を重ねた状態で挟み込むスライドカバー５をスライド自在に被せたからである。これによって、表裏表紙Ｐ２にスライド自在に調整して被せる左右で一対のスライドカバー５が、本等Ｂの厚さによる背表紙Ｐ１の異なる幅員に対応調整してスライドすることで、異なる厚さの本等Ｂのそれぞれを体裁よく覆うことができる。
【００１１】
また、当接カバー板２は、透明で剛性があることで、表裏表紙Ｐ２に当接した状態で半ば剛性化させ、扁平袋状のスライドカバー５によって被せられるときのスライド操作を容易に調整させる。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す分解斜視図である。
【図２】同じく使用状態における平面図で、その（Ａ）は厚い本の場合、（Ｂ）は薄い本の場合である。
【図３】同じく使用状態における横断面図である。
【考案を実施するための形態】
【００１４】
以下、図面を参照してこの考案を実施するための一形態を説明すると、図において示される符号１はカバー本体であり、このカバー本体１は、ノート・書籍・本等Ｂの背表紙Ｐ１及び表裏表紙Ｐ２における背表紙側端部を覆う程度の大きさに形成されている。
【００１５】
カバー本体１自体は、本等Ｂの一般的な厚さである所定幅員に形成された背表紙Ｐ１を十分に覆う程度の幅員を備えており、背表紙Ｐ１にあてがわれたときにはこれの両側に繋がる表裏表紙Ｐ２の端部までも覆うに足りるものとし、カバー本体１の端部は、本等Ｂの厚さに対応調整して折曲される柔軟性を備えている。
【００１６】
このカバー本体１の端部には、本等Ｂの表裏表紙Ｐ２の表面に当接する当接カバー板２が一体状に連結されていて、この当接カバー板２は、撓み性がある、やや硬度がある剛性の素材、例えばやや硬質の合成樹脂素材によって形成されている。図示例にあっての当接カバー板２は、透視性がある透明な合成樹脂板によって形成されているも、もとより、着色されていても差し支えない。
【００１７】
当接カバー板２は、表裏表紙Ｐ２にあてがわれたときに表裏表紙Ｐ２を剛性化し、後述するスライドカバー５によるスライドさせての、表裏表紙Ｐ２と当接カバー板２とを共に挟み込み、被せるときの操作性を向上させる。
【００１８】
そして、当接カバー板２が表裏表紙Ｐ２にあてがわれた状態で、表裏表紙Ｐ２及び当接カバー板２を共に挟み込み状にして、これらに被せられて装着されるスライドカバー５が設けられている。このスライドカバー５は、表裏表紙Ｐ２及び当接カバー板２を挟み込み、収納するように扁平な袋状に形成されている。
【００１９】
スライドカバー５は、本等Ｂの表裏表紙Ｐ２をほぼ覆う程度の大きさ、すなわち表裏表紙Ｐ２の背高、幅員に比しやや大きくした背高、幅員として形成されており、本等Ｂの厚さの相違があっても、表裏表紙Ｐ２部分を十分に覆うに足りる大きさを有している。スライドカバー５は、表裏表紙Ｐ２を覆うとき、スライドカバー５の内奥部に表裏表紙Ｐ２の端縁部が位置するようになり、本等Ｂの厚薄にかかわらず、表裏表紙Ｐ２それぞれの全体を常時覆っている。
【００２０】
このスライドカバー５は、剛性を備えた当接カバー板２が表裏表紙Ｐ２にあてがわれたときに剛性化された状態にあるとき、表裏表紙Ｐ２にやや強制的にスライドさせながら被せられることで、逆方向での抜け出しを防止でき、本等Ｂにしっかり装着することができるようにしてある。すなわち、当接カバー板２の内法高さは、当接カバー板２の背高とほぼ同一か、やや高く形成されている
【００２１】
なお、このスライドカバー５の開口部内縁のいずれか一方には、スライドカバー５の表面素材と同様な帯状の内装縁部６を設けてあり、表裏表紙Ｐ２に被せるときの操作の円滑性を兼ねて化粧用としてある。
【００２２】
カバー本体１、スライドカバー５それぞれは、例えば皮革製としてあるも、これに代えて布製あるいは不織布製その他とすることも可能であり、特に限定されない。図示のように皮革製として、縁部、カバー本体１と当接カバー板２との接合箇所等をミシン縫いすることでミシン目によって得られる装飾作用によってデザイン性を向上させることも可能である。また、縫製によらずに例えば接着剤によって接着構成することも可能であり、無縫製であっても十分に使用に耐え得る。もとより、各種素材に対応して縫製、接着その他の製作方法を適宜に選択できる。
【００２３】
また、これらのカバー本体１、当接カバー板２、スライドカバー５等は、例えば文庫本を対象とする場合であれば、カバー本体１の背高は１５０ｍｍ、幅員は９０ｍｍ程度、当接カバー板２の背高は１５０ｍｍ、幅員は６０ｍｍ程度、スライドカバー５の外法背高は１５５ｍｍ、幅員は１０７ｍｍ程度とするも、これに限定されない。また、本等Ｂが例えば単行本、新書その他であれば、それぞれに対応した背高、幅員に形成される。
【００２４】
次にこれの使用の一例を説明すると、図１に示すように、本等Ｂの背表紙Ｐ１にカバー本体１をあてがい、当接カバー板２を表裏表紙Ｐ２それぞれにあてがい、表裏表紙Ｐ２と当接カバー板２とを共に挟み込むようにスライドカバー５を被せて、本等Ｂに装着する。あるいは、カバー本体１の当接カバー板２にスライドカバー５を被せておき、表裏表紙Ｐ２それぞれをスライドカバー５の開口縁からスライドカバー５内に挿入し、背表紙Ｐ１をカバー本体１の内側面にあてがって装着する。なお、これらの装着例は装着手順の一例を示したもので、これらと異なるも差し支えない。
【００２５】
そして、本等Ｂが厚い場合には、図２（Ａ）に示すようにカバー本体１の端部がスライドカバー５によって小さく覆われ、カバー本体１が大きく露出され、本等Ｂが薄い場合には、図２（Ｂ）に示すようにカバー本体１の端部がスライドカバー５によって大きく覆われ、カバー本体１の露出割合は小さくなる。いずれにしても、カバー本体１の中央部分が本等Ｂの背表紙Ｐ１に位置されると共に、スライドカバー５は表裏表紙Ｐ２全体を常時覆うことになり、使用時の全体の体裁を良好なものとさせる。
【符号の説明】
【００２６】
Ｂ…本等
Ｐ１…背表紙
Ｐ２…表裏表紙
１…カバー本体
２…当接カバー板
５…スライドカバー
６…内装縁部
【図１】
0003228223.tif 000003
【図２】
0003228223.tif 000004
【図３】
0003228223.tif 000005